(57)【要約】【課題】  受信したファクシミリ画像を、無線インタフェースを介して携帯端末に転送し、携帯端末のディスプレイに表示する場合、画像通信装置本体にドットマトリクスタイプの表示装置を搭載しなくても、受信画像を確認することができ、また、従来のファクシミリ装置のようにファクシミリ装置自体を操作しなければならないという煩わしさを解消することができることを目的とする。【解決手段】  携帯端末からの制御コマンドに応じて、受信履歴情報を携帯端末に送信し、携帯端末からの制御コマンドに応じて、複数のファクシミリ画像の中から、特定のファクシミリ画像を選択し、データフォーマット変換し、無線インタフェースを介してデータフォーマット変換したファクシミリ画像を、携帯端末に転送し、携帯端末のディスプレイにファクシミリ画像を表示する。【選択図】  図１
2005354492.tif 000002
【特許請求の範囲】
【請求項１】
受信した複数のファクシミリ画像を記憶する第１のメモリ手段と、受信履歴情報を記憶する第２のメモリ手段と、無線インタフェースによって携帯端末とのデータ通信を行う手段と、上記第１のメモリ手段に記憶したファクシミリ画像を上記携帯端末が表示可能なデータフォーマットに変換するデータフォーマット変換手段と、上記携帯端末からの制御コマンドを解析する制御コマンド解析手段とを有する画像通信装置において、
上記携帯端末からの制御コマンドに応じて、上記第２のメモリ手段に記憶されている受信履歴情報を上記携帯端末に送信する送信手段と；
上記携帯端末からの制御コマンドに応じて、上記第１のメモリ手段に記憶されている複数のファクシミリ画像の中から、特定のファクシミリ画像を選択し、上記データフォーマット変換手段にデータフォーマット変換させるデータフォーマット変換制御手段と；
上記無線インタフェースを介してデータフォーマット変換したファクシミリ画像を、上記携帯端末に転送する転送手段と；
を有することを特徴とする画像通信装置。
【請求項２】
請求項１において、
上記携帯端末は、表示手段を備え、転送されたディスプレイにデータフォーマット変換されたファクシミリ画像を表示する機能を有することを特徴とする画像通信装置。
【請求項３】
請求項１において、
上記携帯端末からの制御コマンドに応じて、上記第１のメモリに記憶されているファクシミリ画像の中から、特定のファクシミリ画像を選択するファクシミリ画像選択手段と；
上記選択されたファクシミリ画像をプリントするプリント手段と；
を有することを特徴とする画像通信装置。
【請求項４】
請求項１において、
上記携帯端末からの制御コマンドに応じて、上記第１のメモリに記憶されているファクシミリ画像の中から、特定のファクシミリ画像のデータを消去する消去手段を有することを特徴とする画像通信装置。
【請求項５】
請求項１において、
上記無線インタフェースを介して画像通信装置から転送されたファクシミリ画像を表示するアプリケーションプログラムを、インターネット上のプログラムサーバからダウンロードすることを特徴とする画像通信装置。
【請求項６】
受信した複数のファクシミリ画像を記憶する第１の記憶工程と、受信履歴情報を記憶する第２の記憶工程と、無線インタフェースによって携帯端末とのデータ通信を行う通信工程と、上記第１の記憶工程で記憶したファクシミリ画像を上記携帯端末が表示可能なデータフォーマットに変換するデータフォーマット変換工程と、上記携帯端末からの制御コマンドを解析する制御コマンド解析工程とを有する画像通信装置の制御方法において、
上記携帯端末からの制御コマンドに応じて、上記第２の記憶工程で記憶されている受信履歴情報を上記携帯端末に送信する送信工程と；
上記携帯端末からの制御コマンドに応じて、上記第１の記憶工程に記憶されている複数のファクシミリ画像の中から、特定のファクシミリ画像を選択し、上記データフォーマット変換工程にデータフォーマット変換させるデータフォーマット変換制御工程と；
上記無線インタフェースを介してデータフォーマット変換したファクシミリ画像を、上記携帯端末に転送する転送工程と；
を有することを特徴とする画像通信装置の制御方法。
【請求項７】
請求項６において、
上記携帯端末は、表示手段を備え、転送されたディスプレイにデータフォーマット変換されたファクシミリ画像を表示する機能を有することを特徴とする画像通信装置の制御方法。
【請求項８】
請求項６において、
上記携帯端末からの制御コマンドに応じて、上記第１の記憶工程で記憶されたファクシミリ画像の中から、特定のファクシミリ画像を選択するファクシミリ画像選択工程と；
上記選択されたファクシミリ画像をプリントするプリント工程と；
を有することを特徴とする画像通信装置の制御方法。
【請求項９】
請求項６において、
上記携帯端末からの制御コマンドに応じて、上記第１の記憶工程で記憶されたファクシミリ画像の中から、特定のファクシミリ画像のデータを消去する消去工程を有することを特徴とする画像通信装置の制御方法。
【請求項１０】
請求項６において、
上記無線インタフェースを介して画像通信装置から転送されたファクシミリ画像を表示するアプリケーションプログラムを、インターネット上のプログラムサーバからダウンロードすることを特徴とする画像通信装置の制御方法。
【発明の詳細な説明】
【技術分野】
【０００１】
本発明はファクシミリ装置等の画像通信装置に係り、特に無線インタフェースを介して携帯端末とのデータ通信が可能な画像通信装置とその制御方法に関するものである。
【背景技術】
【０００２】
従来のファクシミリ装置において、受信したファクシミリ画像を、記録紙にプリントすることなく、受信内容を確認する場合、ファクシミリ装置にドットマトリクスタイプの大型ディスプレイを搭載し、受信したファクシミリ画像をそのディスプレイに表示するようなファクシミリ装置が提案されている（たとえば、特許文献１参照）。
【０００３】
また、携帯電話やＰＤＡのようにドットマトリクスタイプのディスプレイを搭載した携帯端末と、ＩｒＤＡ等の無線インタフェースを介して、直接データ通信する機能を有し、受信したファクシミリ画像を、無線インタフェースを介して、携帯端末へ送信し、受信したファクシミリ画像を携帯端末で確認するファクシミリ装置も提案されている（たとえば、特許文献２参照）。
【０００４】
これらのファクシミリ装置では、受信したファクシミリ画像をディスプレイで確認できるので、記録紙やインクを無駄に消費する必要がなく、ランニングコストを低減させることができる。
【０００５】
図５は、従来のファクシミリ装置５００の構成を示すブロック図である。
【０００６】
従来のファクシミリ装置５００は、公衆回線５１３を介して、他のファクシミリ装置とファクシミリ通信を行う。また、ファクシミリ装置５００は、無線インタフェースによって、直接携帯端末５１４と接続され、携帯端末５１４との間でも、データ通信が可能である。
【０００７】
ＣＰＵ５０１は、ＲＯＭ５０２に記憶されているプログラムに従い、システムバス５１２に接続された各ブロックをそれぞれ制御し、さらには、ファクシミリ装置５００全体の制御を行う。管理メモリ５０３は、受信したファクシミリ画像の履歴情報を記憶するメモリである。操作パネル５０５は、ファクシミリ装置５００を操作するための操作キーから構成され、ＣＰＵ５０１は、これらのキーの押下状態に応じてファクシミリ装置５００の動作を制御する。
【０００８】
ＮＣＵ５０６は、回線制御を行い、ファクシミリ装置５００と公衆回線５１３とを接続する。ＭＯＤＥＭ５０７は、ファクシミリ信号の変復調処理を行い、ＩＴＵ−Ｔで定めるＶシリーズの通信プロトコルに従って処理する。
【０００９】
画像メモリ５０８は、受信したファクシミリ画像等を記憶するものである。画像変換部５０９は、画像メモリ５０８に記憶された受信ファクシミリ画像を、ディスプレイ５１１や携帯端末５１４のディスプレイに表示可能なフォーマットに変換する。無線制御部５１０は、無線インタフェースによって携帯端末５１４とのデータ通信を行うものである。
【００１０】
次に、従来のファクシミリ装置５００における動作について説明する。
【００１１】
図６は、従来のファクシミリ装置５００において、受信したファクシミリ画像を本体のディスプレイに表示する動作を示すフローチャートである。
【００１２】
この処理に先立ち、ファクシミリ装置５００は、受信したファクシミリ画像を画像メモリ５０８に記憶し、また、その受信履歴を管理メモリ５０３に登録する。
【００１３】
先ず、操作パネル５０５において受信リストの表示キーが押下されると、処理を開始する（Ｓ６０１）。ＣＰＵ５０１は、管理メモリ５０３の受信履歴を参照し（Ｓ６０２）、画像メモリ５０８に受信画像が無いと判断すれば、ディスプレイ５１１に受信データがない旨を表示し（Ｓ６０３）、処理を終了する。
【００１４】
一方、画像メモリ５０８に受信画像が存在すれば（Ｓ６０２）、管理メモリ５０３の受信履歴情報に基づいて、ディスプレイ５１１に受信履歴リストを表示する（Ｓ６０４）。続いて、操作パネル５０５において、特定の受信画像が選択されると（Ｓ６０５）、画像変換部５０９が、上記選択された受信画像を、ディスプレイ５１１に表示可能なフォーマットに変換し（Ｓ６０６）、ディスプレイ５１１に表示する（Ｓ６０７）。その後、操作パネル５０５において画像表示を終了する操作が行われるまで、上記選択されたファクシミリ画像を表示し続ける（Ｓ６０８）。
【００１５】
操作パネル５０５において画像表示を終了する操作が行われないと、ステップＳ６０４へ移行し、受信リストをディスプレイ５１１に、再度表示する。
【００１６】
以降、ステップＳ６０４〜Ｓ６０９の処理を繰り返し、ステップＳ６０９において受信リスト表示の終了操作がなされると、処理を終了する。以上の動作が、従来のファクシミリ装置において、受信したファクシミリ画像を、本体のディスプレイに表示する際の動作である。
【００１７】
図７は、従来のファクシミリ装置において、受信したファクシミリ画像を、携帯端末のディスプレイに表示する動作を示すフローチャートである。
【００１８】
図６に示す動作と同様に、この処理に先立ち、受信したファクシミリ画像を、画像メモリ５０８に記憶し、また、その受信履歴を管理メモリ５０３に登録しておく。
【００１９】
先ず、携帯端末５１４から受信したファクシミリ画像のデータ要求が入力されると、処理を開始する（Ｓ７０１）。ＣＰＵ５０１は、管理メモリ５０３の受信履歴を参照し、画像メモリ５０８に受信画像が存在すれば（Ｓ７０２）、画像変換部５０９が、上記受信画像を、携帯端末５１４に表示可能なフォーマットに変換する（Ｓ７０３）。その後、携帯端末５１４に変換したファクシミリ画像を転送し（Ｓ７０４）、携帯端末５１４との無線通信を切断し（Ｓ７０５）、処理を終了する。
【００２０】
また、ステップＳ７０２においてファクシミリ装置に受信画像が無いと判断された場合も、携帯端末５１４との無線通信を切断し（Ｓ７０５）、処理を終了する。携帯端末５１４側において、ファクシミリ装置５００から受信したファクシミリ画像を、携帯端末のディスプレイに表示することによって、ファクシミリ装置５００にドットマトリクスタイプのディスプレイがなくても、受信画像を確認することができる。
【００２１】
以上が、従来のファクシミリ装置において、受信したファクシミリ画像を、携帯端末のディスプレイに表示する動作である。
【特許文献１】特開平６−１８１４９８号公報
【特許文献２】特開２０００−３１２２７２号公報
【発明の開示】
【発明が解決しようとする課題】
【００２２】
しかし、上記従来例のファクシミリ装置では、受信したファクシミリ画像を本体のディスプレイに表示する場合、ドットマトリクスタイプの表示装置を、本体に設ける必要があり、一般的なキャラクタ表示タイプの表示手段を搭載したファクシミリ装置に比べて、本体コストが大幅にアップするという問題があり、また、ファクシミリ装置自体が大型化するという問題がある。
【００２３】
また、上記従来例では、受信したファクシミリ画像を、無線インタフェースを介して携帯端末に転送し、携帯端末のディスプレイに表示する場合、ファクシミリ装置に複数の受信画像が存在すると、どの画像を携帯端末に送信するのかを、ファクシミリ装置を操作し、選択する必要がある。また、受信画像をプリントしたり、受信画像のデータをメモリから消去したりする場合は、ファクシミリ装置を操作しなければならず、この操作が煩雑であるという問題がある。
【００２４】
さらに、受信画像を携帯端末で表示するためには、携帯端末側に専用のアプリケーションソフトが必要であり、このソフトが搭載されていない携帯端末では、受信したファクシミリ画像を携帯端末で表示することができないという問題がある。
【００２５】
本発明は、受信したファクシミリ画像を、無線インタフェースを介して携帯端末に転送し、携帯端末のディスプレイに表示する場合、画像通信装置本体にドットマトリクスタイプの表示装置を搭載しなくても、受信画像を確認することができ、また、従来のファクシミリ装置のようにファクシミリ装置自体を操作しなければならないという煩わしさを解消することができる画像通信装置を提供することを目的とするものである。
【課題を解決するための手段】
【００２６】
本発明は、受信した複数のファクシミリ画像を記憶する第１のメモリ手段と、受信履歴情報を記憶する第２のメモリ手段と、無線インタフェースによって携帯端末とのデータ通信を行う手段と、上記第１のメモリ手段に記憶したファクシミリ画像を上記携帯端末が表示可能なデータフォーマットに変換するデータフォーマット変換手段と、上記携帯端末からの制御コマンドを解析する制御コマンド解析手段とを有する画像通信装置において、上記携帯端末からの制御コマンドに応じて、上記第２のメモリ手段に記憶されている受信履歴情報を上記携帯端末に送信する送信手段と、上記携帯端末からの制御コマンドに応じて、上記第１のメモリ手段に記憶されている複数のファクシミリ画像の中から、特定のファクシミリ画像を選択し、上記データフォーマット変換手段にデータフォーマット変換させるデータフォーマット変換制御手段と、上記無線インタフェースを介してデータフォーマット変換したファクシミリ画像を、上記携帯端末に転送する転送手段と、上記携帯端末のディスプレイにファクシミリ画像を表示する表示手段とを有する画像通信装置である。
【発明の効果】
【００２７】
本発明は、受信したファクシミリ画像を、無線インタフェースを介して携帯端末に転送し、携帯端末のディスプレイに表示するので、画像通信装置本体にドットマトリクスタイプの表示装置を搭載しなくても、受信画像を確認することができ、また、従来のファクシミリ装置のようにファクシミリ装置自体を操作しなければならないという煩わしさを解消することができるという効果を奏する。
【発明を実施するための最良の形態】
【００２８】
発明を実施するための最良の形態は、次の実施例である。
【実施例１】
【００２９】
図１は、本発明のファクシミリ装置１００の構成を示すブロック図である。
【００３０】
ファクシミリ装置１００は、ＣＰＵ１０１と、ＲＯＭ１０２と、管理メモリ１０３と、プリンタ１０４と、操作パネル１０５と、ＮＣＵ１０６と、ＭＯＤＥＭ１０７と、画像メモリ１０８と、画像変換部１０９と、無線制御部１１０と、コマンド解析部１１１と、システムバス１１２とを有する。
【００３１】
ファクシミリ装置１００は、公衆回線１１３を介して、他のファクシミリ装置とのファクシミリ通信を行う。また、ファクシミリ装置１００は、無線インタフェースによって直接携帯端末１１４と接続され、携帯端末１１４ともデータ通信を行うものである。
【００３２】
携帯端末１１４は、インターネット１１５に接続可能であり、インターネット１１５に接続されたプログラムサーバ１１６にアクセスし、様々なデータをダウンロードすることができる。
【００３３】
ＣＰＵ１０１は、ＲＯＭ１０２に記憶されているプログラムに従い、管理メモリ１０３、プリンタ１０４、操作パネル１０５、ＮＣＵ１０６、ＭＯＤＥＭ１０７、画像メモリ１０８、画像変換部１０９、無線制御部１１０、コマンド解析部１１１をそれぞれ制御し、また、ファクシミリ装置１００の全体を制御する。システムバス１１２は、ＣＰＵ１０１と各ブロックとを接続する。
【００３４】
管理メモリ１０３は、バッテリ等でバックアップされているＳＲＡＭやフラッシュメモリ等の不揮発性メモリによって構成され、受信したファクシミリ画像の履歴情報を記憶する。また、管理メモリ１０３は、電話帳データ、短縮／ワンタッチダイヤルに登録されている電話番号、通信結果、送信予約情報等、ファクシミリ装置に必要なシステム情報をも記憶する。
【００３５】
プリンタ１０４は、サーマルタイプやインクジェットタイプのプリンタヘッド、給排紙ローラを駆動するステッピングモータ、記録紙幅や記録紙有無を検知するセンサ回路等によって構成され、ＣＰＵ１０１の制御によって受信したファクシミリ画像や通信管理レポート等を、記録紙にプリントする。
【００３６】
操作パネル１０５は、送信／受信動作を起動するスタートキー、送信画像の画質（ファイン／スタンダード等）を指定する画質キー、動作を停止させるストップキー、電話番号を入力するテンキー、予め登録された相手先の電話番号を呼び出すワンタッチキー、動作モードを選択するメニューキー等によって構成され、ＣＰＵ１０１は、これらのキーの押下状態に応じて、ファクシミリ装置の動作を制御する。また、操作パネル１０５は、キャラクタタイプのＬＣＤ（液晶表示器）やＬＥＤ（発光ダイオード）を搭載し、ＣＰＵ１０１の制御に基づいて、各種表示を行い、ファクシミリ装置１００の動作状態をユーザに知らせる。
【００３７】
ＮＣＵ１０６は、直流の捕捉回路、交流の補捉回路、Ｃｉ（呼出信号）検出回路、２線４線変換回路等によって構成され、ファクシミリ装置１００と公衆回線１１３とを接続するものである。また、ファクシミリ装置１００は、公衆回線１１３を介して、通信相手のファクシミリ装置と直接接続され、Ｇ３のファクシミリ手順で通信を行う。
【００３８】
ＭＯＤＥＭ１０７は、ファクシミリ信号の変復調処理を行い、ＩＴＵ−Ｔで定めるＶシリーズの通信プロトコルに従って処理を行う。ファクシミリ受信時には、公衆回線１１３から到来するアナログ信号をＭＯＤＥＭ１０７で復調し、ＭＨ、ＭＲ、ＭＭＲ等の符号化データを生成する。また、ファクシミリ送信時には、ＭＨ、ＭＲ、ＭＭＲ等の符号化データを変調し、アナログ信号として公衆回線１１３へ送出する。
【００３９】
画像メモリ１０８は、ＤＲＡＭ等で構成された大容量メモリであり、ファクシミリ送受信時の符号化データを記憶する。また、データのフォーマット変換時のデジタル信号処理において、ワークメモリとしても利用される。
【００４０】
画像変換部１０９は、画像メモリ１０８に記憶されたＭＨ、ＭＲ、ＭＭＲ等のファクシミリ符号化データを、携帯端末１１４のディスプレイに表示可能なＪＰＥＧ形式やＧＩＦ形式の画像フォーマットに変換する。また、受信画像をプリンタ１０４でプリントする場合は、画像メモリ１０８に記憶されたファクシミリ符号化データを、画像変換部１０８で復号化してプリンタ１０４に出力する。
【００４１】
無線制御部１１０は、無線インタフェースによって、外部の携帯端末との通信を制御し、ＩｒＤＡに基づく赤外線インタフェース方式や、ＩＥＥＥ８０２．１１、Ｂｌｕｅｔｏｏｈに基づくスペクトラム拡散通信方式に従い、無線インタフェースによる通信を行う。
【００４２】
コマンド解析部１１１は、携帯端末１１４から無線インタフェースを介して受信したコマンドを解析し、そのコマンドの内容をＣＰＵ１０１に通知する。ＣＰＵ１０１は、コマンド解析部１１１からの通知内容に従い、ファクシミリ装置１００の動作を制御する。
【００４３】
次に、実施例１であるファクシミリ装置１００の動作について説明する。
【００４４】
図２は、ファクシミリ装置１００において、受信したファクシミリ画像を携帯端末に送信する動作を示すフローチャートである。
【００４５】
この処理に先立ち、ファクシミリ装置１００は、受信したファクシミリ画像を画像メモリ１０８に記憶し、また、その受信履歴を管理メモリ１０３に登録しておく。また、無線制御部１１０は、携帯端末１１４からの制御コマンドを常に受け付けることができる状態にセットしておく。
【００４６】
携帯端末１１４から接続要求コマンドが入力されると、コマンド解析部１１１は、接続要求があったことを、ＣＰＵ１０１に通知し、携帯端末１１４との通信処理を開始する（Ｓ２０１）。
【００４７】
無線制御部１１０が、携帯端末１１４とのネゴシエーションを行い、携帯端末１１４のディスプレイに表示可能な画像サイズとデータフォーマットを、携帯端末１１４から取得する（Ｓ２０２）。続いて、管理メモリ１０３を参照し、画像メモリ１０８に受信画像がなければ、受信画像が無いことを、携帯端末１１４に通知し（Ｓ２０４）、携帯端末１１４との通信を切断し（Ｓ２０５）、処理を終了する。
【００４８】
一方、ステップＳ２０３において、受信画像があると判定されれば、管理メモリ１０３の受信履歴情報を参照し、受信画像リストを携帯端末１１４に送信する（Ｓ２０６）。
【００４９】
図３は、受信管理メモリ１０３に記憶されている受信履歴情報の例を示す図である。
【００５０】
受信画像のそれぞれは、管理番号で管理され、受信日付、受信時刻、通信相手の電話番号、受信ページ数等が付加情報として送出される。
【００５１】
続いて、携帯端末１１４から受信画像の選択コマンドが入力されると（Ｓ２０７）、選択された受信画像を、画像メモリ１０８から読み出し、ステップＳ２０２で取得した携帯端末１１４に表示可能なフォーマットに、画像変換部１０９が変換する（Ｓ２０８）。
【００５２】
また、変換された受信画像は、無線制御部１１０を介して、携帯端末１１４に転送される（Ｓ２０９）。携帯端末１１４からプリントコマンドが入力されると（Ｓ２１０）、指定された受信画像を、画像メモリ１０８から読み出し、プリンタ１０４がプリント可能なフォーマットに、画像変換部１０９が変換し、プリンタ１０４が、受信画像を記録紙にプリントする（Ｓ２１１）。携帯端末１１４から受信画像の消去コマンドを受信すると（Ｓ２１２）、指定された受信画像のデータを、画像メモリ１０８から消去し、また、管理メモリ１０３の受信履歴情報からも、指定された受信画像の履歴を消去する（Ｓ２１３）。
【００５３】
また、更新された受信画像リストを、携帯端末１１４に再送信する（Ｓ２１４）。以降、ステップＳ２０７〜ステップＳ２１５の処理を繰り返し、ステップＳ２１５において携帯端末１１４から通信切断コマンドが入力されると、携帯端末１１４との通信を切断し（Ｓ２０５）、処理を終了する。
【００５４】
以上が、ファクシミリ装置１００において、受信したファクシミリ画像を携帯端末に送信する動作である。
【００５５】
図４は、本発明のファクシミリ装置１００において、受信したファクシミリ画像を携帯端末１１４に送信する際に、携帯端末１１４側で実行される動作を示すフローチャートである。
【００５６】
この処理に先立ち、携帯端末１１４は、インターネット１１５に存在しているプログラムサーバ１１６にアクセスし、ファクシミリ画像を表示するためのアプリケーションプログラムをダウンロードしておく。
【００５７】
携帯端末１１４の操作部において、ユーザがファクシミリ画像を表示するためのアプリケーションプログラムの起動操作をすると（Ｓ３０１）、アプリケーションプログラムが起動し（Ｓ３０２）、ファクシミリ装置１００との通信処理を開始する。携帯端末１１４は、無線インタフェースを介して、ファクシミリ装置１００に接続要求コマンドを送出し、さらに、ネゴシエーションを行い、ファクシミリ装置１００と接続する（Ｓ３０３）。
【００５８】
ステップＳ３０３のネゴシエーションにおいて、携帯端末１１４は、ファクシミリ装置１００に表示可能な画像サイズとデータフォーマットとを通知する。
【００５９】
続いて、ファクシミリ装置１００から、受信画像が無い旨の通知を受けると（Ｓ３０４）、ファクシミリ装置１００との通信を切断し（Ｓ３０５）、処理を終了する。ステップＳ３０４において、ファクシミリ装置１００に受信画像があると判定されると、ファクシミリ装置１００から、図３に示す受信画像リストを受信し（Ｓ３０６）、その受信画像リストを、携帯端末１１４のディスプレイに表示する（Ｓ３０７）。
【００６０】
次に、携帯端末１１４の操作部において、特定の受信画像を選択する操作がなされると（Ｓ３０８）、ファクシミリ装置１００に、その画像の選択コマンドを送出する（Ｓ３０９）。続いて、選択した受信画像を、ファクシミリ装置１００から受信し、その受信画像を携帯端末１１４のディスプレイに表示する（Ｓ３１０）。
【００６１】
その後に、操作部において画像表示を終了する操作が行われるまで、ファクシミリ画像を表示し続ける（Ｓ３１１）。携帯端末１１４の操作部において、特定画像のプリント操作が入力されると（Ｓ３１２）、指定された受信画像のプリントコマンドを、ファクシミリ装置１００に送出する（Ｓ３１３）。
【００６２】
また、携帯端末１１４の操作部において、特定画像の消去操作が入力されると（Ｓ３１４）、指定された受信画像の消去コマンドを、ファクシミリ装置１００に送出し（Ｓ３１５）、その後に、更新された受信画像リストを、ファクシミリ装置１００から受信する（Ｓ３１６）。
【００６３】
以降、ステップＳ３０７〜ステップＳ３１７の処理を繰り返す。携帯端末１１４の操作部において、通信を終了する操作がされると（Ｓ３１７）、ファクシミリ装置１００に通信切断コマンドを送出し（Ｓ３１８）、ファクシミリ装置１００との通信を切断し（Ｓ３０５）、処理を終了する。
【００６４】
以上の動作が、ファクシミリ装置１００において、受信したファクシミリ画像を携帯端末で表示する際の携帯端末１１４側の動作である。
【００６５】
なお、上記実施例を、パソコン等、ファクシミリ装置以外の画像通信装置に適用するようにしてもよい。
【００６６】
上記実施例によれば、受信したファクシミリ画像を、無線インタフェースを介して携帯端末に転送し、携帯端末のディスプレイに表示するので、画像通信装置本体にドットマトリクスタイプの表示装置を搭載しなくても、受信画像を確認することができ、また、従来のファクシミリ装置のようにファクシミリ装置自体を操作しなければならないという煩わしさを解消することができる。
【００６７】
また、上記実施例によれば、携帯端末からの指示によって、受信画像の中から特定の受信画像を指定し、その受信画像のプリント処理やデータ消去ができるので、従来のファクシミリ装置に比べて、操作性が向上する。
【００６８】
さらに、上記実施例によれば、ファクシミリ画像を携帯端末に表示するためのアプリケーションプログラムを、インターネット上のプログラムサーバからダウンロードするので、このアプリケーションプログラムが搭載されていない携帯端末であっても、受信したファクシミリ画像を携帯端末側で表示することができる。
【図面の簡単な説明】
【００６９】
【図１】本発明のファクシミリ装置１００の構成を示すブロック図である。
【図２】ファクシミリ装置１００において、受信したファクシミリ画像を携帯端末に送信する動作を示すフローチャートである。
【図３】受信管理メモリ１０３に記憶されている受信履歴情報の例を示す図である。
【図４】本発明のファクシミリ装置１００において、受信したファクシミリ画像を携帯端末１１４に送信する際に、携帯端末１１４側で実行される動作を示すフローチャートである。
【図５】従来のファクシミリ装置５００の構成を示すブロック図である。
【図６】従来のファクシミリ装置５００において、受信したファクシミリ画像を本体のディスプレイに表示する動作を示すフローチャートである。
【図７】従来のファクシミリ装置において、受信したファクシミリ画像を、携帯端末のディスプレイに表示する動作を示すフローチャートである。
【符号の説明】
【００７０】
１００…ファクシミリ装置、
１０１…ＣＰＵ、
１０２…ＲＯＭ、
１０３…管理メモリ、
１０４…プリンタ、
１０５…操作パネル、
１０６…ＮＣＵ、
１０７…ＭＯＤＥＭ、
１０８…画像メモリ、
１０９…画像変換部、
１１０…無線制御部、
１１１…コマンド解析部、
１１４…携帯端末、
１１５…インターネット。
【図１】
2005354492.tif 000003
【図２】
2005354492.tif 000004
【図３】
2005354492.tif 000005
【図４】
2005354492.tif 000006
【図５】
2005354492.tif 000007
【図６】
2005354492.tif 000008
【図７】
2005354492.tif 000009